(57)【要約】【目的】簡単な構造で、緩衝機能を具備し、且つ廃棄時には外袋と合成樹脂製の内袋とを簡単に分別でき、しかも安価に提供できる宅配用又は郵送用の包装袋体とすること。【構成】外袋１と、気泡緩衝シートＳからなる内袋２と、両面を接着面とした表面側接着テープ３及び裏面側接着テープ４とからなること。外袋１に内袋２が内装されると共に、外袋１と内袋２の表面構成部同士は両開口部付近で且つ水平状に配置された表面側接着テープ３を介して接着されること。外袋１と内袋２の裏面構成部同士は両開口部付近で且つ幅方向の中央から端部寄りの範囲において垂直状に配置された裏面側接着テープ４を介して接着されること。【選択図】      図１
2014118172.tif 000002
【特許請求の範囲】
【請求項１】
外袋と、気泡緩衝シートからなる内袋と、両面を接着面とした表面側接着テープ及び裏面側接着テープとからなり、前記外袋に前記内袋が内装されると共に、前記外袋と前記内袋の表面構成部同士は両開口部付近で且つ水平状に配置された前記表面側接着テープを介して接着され、前記外袋と前記内袋の裏面構成部同士は両開口部付近で且つ幅方向の中央から端部寄りの範囲において垂直状に配置された前記裏面側接着テープを介して接着される構成としてなることを特徴とする宅配用又は郵送用の包装袋体。
【請求項２】
請求項１において、前記裏面側接着テープは、前記外袋と前記内袋との上下方向における寸法の半分以下の範囲としてなることを特徴とする宅配用又は郵送用の包装袋体。
【請求項３】
請求項１において、前記裏面側接着テープは、前記外袋と前記内袋との上下方向における寸法の半分を超える範囲としてなることを特徴とする宅配用又は郵送用の包装袋体。
【請求項４】
請求項１，２又は３の何れか１項の記載において、前記外袋と前記内袋の底部は、それぞれ角底としてなることを特徴とする宅配用又は郵送用の包装袋体。
【請求項５】
請求項１，２，３又は４の何れか１項の記載において、前記外袋と前記内袋の幅方向両側部はそれぞれマチ部が形成されてなることを特徴とする宅配用又は郵送用の包装袋体。
【請求項６】
外袋と、気泡緩衝シートからなる内袋と、両面を接着面とした表面側接着テープ及び裏面側接着テープとからなり、前記外袋に前記内袋が内装されると共に、前記外袋と前記内袋の表面構成部同士及び裏面構成部同士は両開口部付近で且つ水平状に配置された前記表面側接着テープ及び前記裏面側接着テープを介して接着される構成としてなることを特徴とする宅配用又は郵送用の包装袋体。
【請求項７】
請求項６において、前記表面側接着テープ及び前記裏面側接着テープは、前記外袋及び前記内袋の幅方向全体に亘って配置されてなることを特徴とする宅配用又は郵送用の包装袋体。
【請求項８】
請求項１，２，３，４，５，６又は７の何れか１項の記載において、前記内袋を構成する気泡緩衝シート材はベースシートと多数の小膨出部を有する膨出シートとからなる２層タイプとし、前記内袋の外面側を前記ベースシートとしてなることを特徴とする宅配用又は郵送用の包装袋体。
【請求項９】
請求項１，２，３，４，５，６又は７の何れか１項の記載において、前記内袋を構成する気泡緩衝シート材はベースシートと多数の小膨出部を有する膨出シートとからなる２層タイプとし、前記内袋の内面側を前記ベースシートとしてなることを特徴とする宅配用又は郵送用の包装袋体。
【請求項１０】
請求項１，２，３，４，５，６又は７の何れか１項の記載において、前記内袋を構成する気泡緩衝シート材はベースシートと多数の小膨出部を有する膨出シートとからなる２層タイプとし、前記内袋の表面構成部と裏面構成部のいずれか一方の外面側をベースシートとし、他方の外面側は前記小膨出部としてなることを特徴とする宅配用又は郵送用の包装袋体。
【請求項１１】
請求項１，２，３，４，５，６又は７の何れか１項の記載において、前記内袋を構成する気泡緩衝シート材はベースシートと多数の小膨出部を有する膨出シートと、該膨出シートの小膨出部を被覆するカバーシートとからなる３層タイプとし、前記ベースシート又は前記カバーシートのいずれか一方を前記内袋の外面側としてなることを特徴とする宅配用又は郵送用の包装袋体。
【発明の詳細な説明】
【技術分野】
【０００１】
本発明は、簡単な構造でありつつ、緩衝機能を具備し、且つ廃棄時には外袋と合成樹脂製の内袋とを簡単に分別でき、しかも安価に提供できる宅配用又は郵送用の包装袋体に関する。
【背景技術】
【０００２】
従来、宅配又は郵送における包装用の袋体として、収納物を保護するために、紙製の外部側の袋と、合成樹脂製の気泡緩衝材から形成された内部側の袋からなる包装袋が種々存在する。内部側の袋は、外部側の袋に対して剥がれたり或いは外れないようにするために、種々の固着手段を介して固着されている。
【０００３】
その固着手段としては、接着剤が使用されたり、或いはヒートシールによって熱溶着されるものが多い。また、外部側と内部側の袋相互の接着範囲は、略全体に亘って行われたり、或いは両袋の開口部周囲に行われる。特に、ヒートシールによる外部側の袋と内部側の袋との接着は特に強固なものとなる。この種のものとして、特許文献１が存在する。
【先行技術文献】
【特許文献】
【０００４】
【特許文献１】特開２００８−１１０８１５号公報
【発明の概要】
【発明が解決しようとする課題】
【０００５】
この種の包装袋では、使用済みとなった場合の廃棄処分について、環境保護等の見地から、外部側の紙製の袋と、内部側の合成樹脂製の気泡緩衝材からなる袋とを分離し、それぞれ分別して廃棄しなければならない。そのために、紙製の外部側の袋と、合成樹脂製の内部側の袋との分離作業を行い易くすべく種々の開発が行われている。その一例として、特許文献１では、熱溶着による固着（ヒートシール）部分と、接着剤による固着部分とを使い分けて分離を行い易くしようとするものが開示されている。
【０００６】
しかし、実際に熱溶着（ヒートシール）部分は、その接着力が極めて強固である。また、接着剤によるものであっても、熱溶着（ヒートシール）部分に比較すると多少は接着力が下がるものの、それでも一般に接着強度はかなり強固である。さらに、熱溶着（ヒートシール）部分においては、紙製の外部側袋と、合成樹脂製の内部側袋とを引き剥がしたとしても、紙製の袋には、合成樹脂製の袋の一部が多少残ってしまい、完全に分離することはできない。
【０００７】
また、この種の包装袋では、収納物は、内部側の合成樹脂の気泡緩衝材からなる袋に収納される。したがって、この種の包装袋では、気泡緩衝材からなる内側の袋によって収納スペースが小さくなるという問題があり、たとえば、収納される商品と、その説明書，送り状等の書類を一緒に収納する作業が極めて面倒となることがある。特に、宅配用として、同種類の商品及び説明書等の書類の宅配物を多数包装袋に収納する作業の場合には、作業効率は極めて悪くなる。
【０００８】
そこで、本発明が解決しようとする技術的課題（目的）は、紙製の外袋と、合成樹脂製の気泡緩衝材からなる内袋との分離作業を容易にできると共に、収納物の収納作業の効率も向上させようとすることにある。
【課題を解決するための手段】
【０００９】
そこで、発明者は上記課題を解決すべく、鋭意，研究を重ねた結果、請求項１の発明を、外袋と、気泡緩衝シートからなる内袋と、両面を接着面とした表面側接着テープ及び裏面側接着テープとからなり、前記外袋に前記内袋が内装されると共に、前記外袋と前記内袋の表面構成部同士は両開口部付近で且つ水平状に配置された前記表面側接着テープを介して接着され、前記外袋と前記内袋の裏面構成部同士は両開口部付近で且つ幅方向の中央から端部寄りの範囲において垂直状に配置された前記裏面側接着テープを介して接着される構成としてなる宅配用又は郵送用の包装袋体としたことにより、上記課題を解決した。
【００１０】
請求項２の発明を、請求項１において、前記裏面側接着テープは、前記外袋と前記内袋との上下方向における寸法の半分以下の範囲としてなる宅配用又は郵送用の包装袋体としたことにより、上記課題を解決した。請求項３の発明を、請求項１において、前記裏面側接着テープは、前記外袋と前記内袋との上下方向における寸法の半分を超える範囲としてなる宅配用又は郵送用の包装袋体としたことにより、上記課題を解決した。
【００１１】
請求項４の発明を、請求項１，２又は３の何れか１項の記載において、前記外袋と前記内袋の底部は、それぞれ角底としてなる宅配用又は郵送用の包装袋体としたことにより、上記課題を解決した。請求項５の発明を、請求項１，２，３又は４の何れか１項の記載において、前記外袋と前記内袋の幅方向両側部はそれぞれマチ部が形成されてなる宅配用又は郵送用の包装袋体としたことにより、上記課題を解決した。
【００１２】
請求項６の発明を、外袋と、気泡緩衝シートからなる内袋と、両面を接着面とした表面側接着テープ及び裏面側接着テープとからなり、前記外袋に前記内袋が内装されると共に、前記外袋と前記内袋の表面構成部同士及び裏面構成部同士は両開口部付近で且つ水平状に配置された前記表面側接着テープ及び前記裏面側接着テープを介して接着される構成としてなる宅配用又は郵送用の包装袋体としたことにより、上記課題を解決した。
【００１３】
請求項７の発明を、請求項６において、前記表面側接着テープ及び前記裏面側接着テープは、前記外袋及び前記内袋の幅方向全体に亘って配置されてなる宅配用又は郵送用の包装袋体としたことにより、上記課題を解決した。請求項８の発明を、請求項１，２，３，４，５，６又は７の何れか１項の記載において、前記内袋を構成する気泡緩衝シート材はベースシートと多数の小膨出部を有する膨出シートとからなる２層タイプとし、前記内袋の外面側を前記ベースシートとしてなる宅配用又は郵送用の包装袋体としたことにより、上記課題を解決した。
【００１４】
請求項９の発明を、請求項１，２，３，４，５，６又は７の何れか１項の記載において、前記内袋を構成する気泡緩衝シート材はベースシートと多数の小膨出部を有する膨出シートとからなる２層タイプとし、前記内袋の内面側を前記ベースシートとしてなる宅配用又は郵送用の包装袋体としたことにより、上記課題を解決した。
【００１５】
請求項１０の発明を、請求項１，２，３，４，５，６又は７の何れか１項の記載において、前記内袋を構成する気泡緩衝シート材はベースシートと多数の小膨出部を有する膨出シートとからなる２層タイプとし、前記内袋の表面構成部と裏面構成部のいずれか一方の外面側をベースシートとし、他方の外面側は前記小膨出部としてなる宅配用又は郵送用の包装袋体としたことにより、上記課題を解決した。
【００１６】
請求項１１の発明を、請求項１，２，３，４，５，６又は７の何れか１項の記載において、前記内袋を構成する気泡緩衝シート材はベースシートと多数の小膨出部を有する膨出シートと、該膨出シートの小膨出部を被覆するカバーシートとからなる３層タイプとし、前記ベースシート又は前記カバーシートのいずれか一方を前記内袋の外面側としてなる宅配用又は郵送用の包装袋体としたことにより、上記課題を解決した。
【発明の効果】
【００１７】
請求項１の発明では、外袋に内袋が内装されると共に、前記外袋と前記内袋の表面構成部同士は両開口部付近で且つ水平状に配置された前記表面側接着テープを介して接着され、前記外袋と前記内袋の裏面構成部同士は両開口部付近で且つ幅方向の中央から端部寄りの範囲において垂直状に配置された前記裏面側接着テープを介して接着される構成としたものである。
【００１８】
つまり、内袋は外袋に対して表面側同士では、水平状に配置された表面側接着テープにより接着され、裏面構成部同士は垂直状に配置された裏面側接着テープによって接着される。これによって、表面側接着テープと裏面側接着テープとは、一方が水平状であり、他方が垂直状に配置され外袋と内袋とが接着される構造となる。
【００１９】
したがって、内袋は外袋に対して表面構成部同士が開口部付近で水平状の接着構造となり、裏面構成部同士が開口部付近から底部に向かって垂直状の接着構造となるために、内袋は外袋に対して、水平方向及び垂直方向に安定した状態で収められることができる。
【００２０】
さらに、表面側接着テープ及び裏面側接着テープにより、外袋と内袋とは部分的な接着構造となり、包装包袋の全体からみると、接着された範囲は僅かな部分である。よって、内袋を外袋から引き剥がす作業は、内袋の底部を作業する者の手で掴みつつ、そのまま内袋の底部を外部に引きずり出すようにすれば、外袋と内袋とを比較的簡単に分離することができる。
【００２１】
つまり、前述したように、内袋は外袋に対して表面構成部同士を接着する表面側接着テープは水平状に配置されたものであり、裏面構成部同士を接着する裏面側接着テープは垂直状に配置される構成としたものである。このようなことから、内袋を外袋から引き剥がして両者を分別するときに、裏面側接着テープが外袋から内袋を引きずり出す方向に沿うこととなり、裏面側接着テープが外袋及び内袋から剥がしやすい状態となる。
【００２２】
そして、引き剥がし作業の最終段階で、内袋を外袋から完全に分離するときには、表面側接着テープによる外袋と内袋の表面構成部同士の接着部分しか残っておらず、外袋と内袋との引き剥がしに要する力を少なくすることができ、これによって、外袋と内袋との分別作業を極めて容易にできるものである。
【００２３】
さらに、前記外袋と前記内袋の裏構成部同士は両開口部付近で且つ幅方向の中央から端部寄りの範囲において垂直状に配置された前記裏面側接着テープを介して接着される構成としたことにより、外袋と内袋との裏面構成部同士の間に収納スペースを設けることができる。
【００２４】
そして、内袋の内部には、商品等の収納物を収納し、また外袋と内袋との裏面構成部同士間のスペースには、商品説明書，送り状，カタログ等の書類を挿入することができ、包装包袋内で、商品と書類とを区分けして収納することができるという利点を有する。
【００２５】
さらに、裏面側接着テープは、裏構成部同士は両開口部付近で且つ幅方向の中央から端部寄りの範囲において垂直状に配置されている。このような構成によって、包装袋体を表面側を下にして作業机上に載置し、外袋の裏面構成部を持ち上げることにより、内袋の裏面構成部も、裏面側接着テープと共に持ち上げられる。
【００２６】
このとき、内袋の裏面構成部は、幅方向に沿って全体に亘って外袋に接着されているのではなく、幅方向においては一部分のみが裏面側接着テープによって外袋の裏面構成部に接着されている状態である。したがって、内袋の裏面構成部は、外袋の裏面構成部と共に持ち上げられるが、外袋の裏面構成部が高く上昇するにしたがって、内袋の裏面構成部の重量によって、外袋と内袋の裏面構成部同士の間に隙間が生じる。
【００２７】
この部分が商品説明書，送り状或いはカタログ等の書類を挿入するに好適な収納部となる。また、外袋と内袋との裏面構成部同士に隙間が生じながらも、内袋の開口部も開くので、商品等の収納物を収納することが容易にできるものである。さらに、裏面側接着テープは、垂直状に配置されるので、外袋と内袋との裏面構成部同士の隙間に書類収納物を収納する際の挿入ガイドとしての役目もなすことができる。
【００２８】
請求項２の発明では、裏面側接着テープは、前記外袋と前記内袋との上下方向における寸法の半分以下の範囲としたことにより、接着範囲が小さくなり、外袋と内袋とを分離する作業が簡単にできる。請求項３の発明では、裏面側接着テープは、前記外袋と前記内袋との上下方向における寸法の半分を超える範囲としたことにより、外袋に対して内袋を極めて安定した状態に維持することができる。
【００２９】
請求項４の発明では、外袋と内袋の底部は、それぞれ角底としたことにより、収納容積を大きくすることができる。請求項５の発明についても、外袋と内袋の幅方向両側部はそれぞれマチ部が形成されたことにより収納容積を大きくすることができる。
【００３０】
請求項６の発明では、表面側接着テープ及び裏面側接着テープは共に水平状に配置されることで、外袋と内袋とを強固に接着することができ、また、両開口部付近に表面側接着テープ及び裏面側接着テープが配置されており、内袋の底部は、外袋に拘束されない自由状態となり、よって、内袋の底部が掴み易くなり、外袋と内袋との分別作業を行い易くすることができる。
【００３１】
請求項７の発明では、表面側接着テープ及び前記裏面側接着テープは、前記外袋及び前記内袋の幅方向全体に亘って配置されることにより、外袋と内袋との接着強度をより一層強固にできる。
【００３２】
請求項８の発明では、内袋を構成する気泡緩衝シート材はベースシートと多数の小膨出部を有する膨出シートとからなる２層タイプとし、前記内袋の外面側を前記ベースシートとしたことにより、ベースシートが外袋１の内面側に対向する面接触構成となり、表面側接着テープ及び裏面側接着テープによって、表面構成部同士及び裏面構成部同士の接着を行い易くできる。また、内袋の内面側に小膨出部が位置することで、内袋に収納される商品等の収納物と、前記小膨出部とが接触することになり、収納物の形状及び衝撃に対する保護を良好にできる。
【００３３】
請求項９の発明では、内袋を構成する気泡緩衝シート材はベースシートと多数の小膨出部を有する膨出シートとからなる２層タイプとし、前記内袋の内面側を前記ベースシートとしたことにより、前記ベースシートが内袋の内面側に位置し、前記小膨出部を有する膨出シートが内袋の外面側に位置する構成としたものである。そして、内袋が外袋に内装された状態で、ベースシートが内袋の内面側に位置し、小膨出部が外面側に位置する。このような構成によって、フラット状の面となるベースシートが内袋の内面側に位置することとなり、内袋への収納物の収納を円滑にすることができる。
【００３４】
請求項１０の発明では、前記内袋を構成する気泡緩衝シート材はベースシートと多数の小膨出部を有する膨出シートとからなる２層タイプとし、前記内袋の表面構成部と裏面構成部のいずれか一方の外面側をベースシートとし、他方の外面側は前記小膨出部としたことにより、内袋の表面構成部と裏面構成部とで、それぞれ内面側の構成が異なるものとなる。
【００３５】
そして、内袋の外面側をベースシートとした場合では、両面テープ（表面側接着テープ又は裏面側接着テープ）による外袋の内面側との接着力を大きくすることができ、内袋の外面側が小膨出部となる場合では、両面テープ（表面側接着テープ又は裏面側接着テープ）による外袋の内面側との接着力を小さくすることができる。これによって、外袋と内袋との接着力を適当な状態とし、外袋から内袋を引き剥がすことも比較的容易にできるという、均衡のとれた接着構造にできる。
【００３６】
請求項１１の発明では、前記内袋を構成する気泡緩衝シート材はベースシートと多数の小膨出部を有する膨出シートと、該膨出シートの小膨出部を被覆するカバーシートとからなる３層タイプとし、前記ベースシート又は前記カバーシートのいずれか一方を前記内袋の外面側としたことにより、外袋の内面側と、内袋の外面側とは、共にフラット状の面となり、両面テープ（表面側接着テープ又は裏面側接着テープ）による外袋の内面側との接着力を大きくすることができる。また、内袋の内面側もベースシート又はカバーシートとなり、フラット状の面となるため収納物の出し入れも円滑にできる。
【図面の簡単な説明】
【００３７】
【図１】（Ａ）は本発明の第１実施形態の斜視図、（Ｂ）は本発明の第１実施形態の一部切除した表面側図、（Ｃ）は本発明の第１実施形態の一部切除した裏面側図である。
【図２】（Ａ）は３層タイプの内袋を使用した図１（Ｂ）のＸ1−Ｘ1矢視断面図、（Ｂ）は図１（Ｂ）の垂直方向において一部省略したＹ1−Ｙ1矢視断面図、（Ｃ）は図２（Ａ）の（ア）部拡大図、（Ｄ）は図２（Ｃ）の（イ）部拡大図である。
【図３】（Ａ）は２層タイプの内袋を収納した横断平面図、（Ｂ）は図３（Ａ）の（ウ）部拡大図、（Ｃ）は図３（Ａ）の（ウ）部において別の内袋の収納構造とした拡大図、（Ｄ）は別の２層タイプの内袋を収納した横断平面図、（Ｅ）の（Ｄ）の（エ）部拡大図である。
【図４】（Ａ）は本発明の第１実施形態に商品及び書類の収納物を収納しようとする状態の斜視図、（Ｂ）は第１実施形態に商品及び書類の収納物を収納した状態の縦断平面図である。
【図５】（Ａ）乃至（Ｃ）は本発明の開口部を開くときの外袋と内袋の開き行程を示す縦断平面図である。
【図６】（Ａ）乃至（Ｃ）は本発明に商品収納物及び書類収納物を収納する行程を示す縦断平面図である。
【図７】（Ａ）乃至（Ｄ）は外袋から内袋を分離する作業行程を示す斜視図である。
【図８】（Ａ）は本発明の第１実施形態における変形例の表面側図、（Ｂ）は裏面側図、（Ｃ）は（Ａ）のＸ2−Ｘ2矢視断面図である。
【図９】（Ａ）は本発明の第２実施形態の表面側図、（Ｂ）は本発明の第２実施形態の裏面側図、（Ｃ）は（Ａ）のＸ3−Ｘ3矢視断面図である。
【発明を実施するための形態】
【００３８】
以下、本発明の実施形態を図面に基づいて説明する。本発明の構成は、外袋１と、気泡緩衝シートＳからなる内袋２と、両面を接着面とした表面側接着テープ３及び裏面側接着テープ４とからなる。本発明では、複数の実施形態が存在し、その第１実施形態では、外袋１は、紙製であり表面構成部１１，裏面構成部１２，底部１３及びマチ部１４，１４から袋部を構成し、前記表面構成部１１の上端に外袋１の蓋となる封緘部１５が形成されている（図１参照）。該封緘部１５は、一般にベロとも呼ばれている。
【００３９】
表面構成部１１，裏面構成部１２，底部１３，マチ部１４，１４及び封緘部１５は、一枚の紙材又は複数枚の紙材から形成される。表面構成部１１，裏面構成部１２は、長方形，正方形等の方形状に形成され、マチ部１４，１４及び底部１３は長方形状に形成される。外袋１の上方には、開口部１ａが位置している。
【００４０】
上記の構成によって、外袋１は、角底袋タイプのものであるが、前記マチ部１４，１４が形成されない封筒タイプとしたものや、或いは、前記マチ部１４，１４が形成され底部１３が角底ではなく、直線状としたガゼットタイプのものも含まれる。
【００４１】
ここで、外袋１には、表面側と裏面側が存在する。これは、説明の便宜上使用される名称であり、表面側とは前記封緘部１５が形成されている側のことであり〔図１（Ｂ）参照〕、裏面側とは前記封緘部１５が形成されない側のことである〔図１（Ｃ）参照〕。しかし、これに限定されることなく、外袋１の表側面を裏側面と称して使用し、裏面側を表面側と称して使用しても構わない。
【００４２】
次に、内袋２は、合成樹脂の気泡緩衝シート材Ｓから形成されたものである。内袋２も、前記外袋１と同様に表面構成部２１，裏面構成部２２，底部２３及びマチ部２４，２４から構成される。また、外袋１の封緘部１５は、内袋２には形成されない。内袋２の上方には、開口部２ａが位置しているそして、内袋２は、表面構成部２１，裏面構成部２２，底部２３，マチ部２４及び封緘部１５は、一枚又は複数枚の気泡緩衝シート材Ｓから形成される。
【００４３】
気泡緩衝シート材Ｓは、ポリエチレンシート等の材料からなり、円筒状，半球状等の空気が充填された小膨出部ｐ，ｐ,…が多数形成されたものである。ベースとなるベースシ
ートＳ1と、多数の小膨出部ｐ，ｐ,…が形成された膨出シートＳ2とから構成され、ベー
スシートＳ1に膨出シートＳ2を融着してベースシートＳ1上に多数の小膨出部ｐ，ｐ，…
が形成されたものを２層タイプと称する〔図３（Ｂ），（Ｃ）参照〕。
【００４４】
また、ベースシートＳ1と、多数の小膨出部ｐ，ｐ，…を有する膨出シートＳ2、カバーシートＳ3とからなり、前記膨出シートＳ2の小膨出部ｐ，ｐ，…をベースシートＳ1とカ
バーシートＳ3とによって挟持するサンドイッチ構造とし、気泡緩衝シート材Ｓの表裏両
面に小膨出部ｐ，ｐ，…が露出しないものを３層タイプと称する〔図２（Ｃ），（Ｄ）参照〕。
【００４５】
本発明における内袋２を構成する気泡緩衝シート材Ｓは、２層タイプ又は３層タイプのいずれも使用することができる。そして、内袋２に２層タイプの気泡緩衝シート材Ｓを使用する場合には、以下にしめす３つの使用例が存在する。まず第１使用例では、前記ベースシートＳ１が内袋２の外面側に位置し、前記小膨出部ｐ，ｐ,…を有する膨出シートＳ2が内袋２の内面側に位置する構成としたものである〔図３（Ａ），（Ｂ）参照〕。
【００４６】
この第１使用例では、内袋２が外袋１に内装された状態では、ベースシートＳ1が外袋
１の内面側に対向する面接触構成となり、表面側接着テープ３及び裏面側接着テープ４によって、表面構成部１１，２１同士及び裏面構成部１２，２２同士の接着を行い易くできる。また、内袋２の内面側に小膨出部ｐ，ｐ，…が位置することで、内袋２に収納される商品等の収納物と、前記小膨出部ｐ，ｐ，…とが接触することになり、収納物の形状及び衝撃に対する保護を良好にできる。
【００４７】
次に、第２使用例では、前記ベースシートＳ1が内袋２の内面側に位置し、前記小膨出
部ｐ，ｐ,…を有する膨出シートＳ2が内袋２の外面側に位置する構成としたものである〔図３（Ｃ）参照〕。この第２使用例では、内袋２が外袋１に内装された状態で、ベースシートＳ1が内袋２の内面側に位置し、小膨出部ｐ，ｐ，…が外面側に位置する。このような構成によって、フラット状の面を有する前記ベースシートＳ1が内袋２の内面側に位置することとなり、内袋２への収納物の収納を円滑にすることができる。
【００４８】
また、第３の使用例では、内袋２の表面構成部２１と裏面構成部２２とで、それぞれ内面側の構成が異なるものである。具体的には、内袋２の表面構成部２１では、ベースシートＳ1を外面側とし、小膨出部ｐ，ｐ,…を有する膨出シートＳ2は内面側としたものであ
り、裏面構成部２２ではベースシートＳ１を内袋２の内面側とし、小膨出部ｐ，ｐ，…を有する膨出シートＳ２を外面側としたものである〔図３（Ｄ），（Ｅ）参照〕。また、特に図示しないが、上記の第３の使用例の反対の構成として、内袋２の表面構成部２１で、ベースシートＳ１を内袋２の内面側とし、裏面構成部２２でベースシートＳ１を内袋２の外面側としてもよい。
【００４９】
この第３使用例では、内袋２の表面構成部２１と裏面構成部２２のいずれかの外面側に小膨出部ｐ，ｐ，…が位置し、他方の外面はフラット状のベースシートＳ1が位置するこ
とになる。そして、内袋２の外面側がベースシートＳ1となる場合では、両面テープ（表
面側接着テープ３又は裏面側接着テープ４）による外袋１の内面側との接着力を大きくすることができる。
【００５０】
また、内袋２の外面側が小膨出部ｐ，ｐ，…となる場合では、両面テープ（表面側接着テープ３又は裏面側接着テープ４）による外袋１の内面側との接着力を小さくすることができる。これによって、外袋１と内袋２との接着力を適当な状態とし、外袋１から内袋２を引き剥がすことも比較的容易にできるという、均衡のとれた接着構造にできる。
【００５１】
また、３層タイプの気泡緩衝シート材Ｓ3では、膨出シートＳ2がベースシートＳ1とカ
バーシートＳ2とによって挟持された構成であり、ベースシートＳ1とカバーシートＳ2と
は共にフラット面となる。したがって、３層タイプの気泡緩衝シート材Ｓを使用した内袋２は、内面側と外面側とは同一状の面となる。
【００５２】
これによって、外袋１の内面側と、内袋２の外面側とは、共にフラット状の面となり、両面テープ（表面側接着テープ３又は裏面側接着テープ４）による外袋１の内面側との接着力を大きくすることができる。また、内袋２の内面側もベースシートＳ1又はカバーシ
ートＳ2となり、フラット状の面となるため収納物の出し入れも円滑にできる。
【００５３】
前述したように、外袋１は、角底袋タイプのものであるが、その他のタイプとして、前記マチ部１４，１４が形成されない封筒タイプとしたものや、或いは、前記マチ部１４，１４が形成され底部１３が角底ではなく、直線状としたガゼットタイプのものが存在する。そして、内袋２は、前述した外袋１の種々のタイプに対応させて、該外袋１の形状に合わせて、同一構造とする。
【００５４】
以下の説明では、外袋１及び内袋２ともに角底タイプとして説明する〔図１（Ａ），図２（Ａ），（Ｂ）及び図４（Ａ）参照〕。また、外袋１及び内袋２共に、開口部１ａ及び２ａが位置する側を上方とし、方形状の表面構成部１１，１２（又は裏面構成部１２，２２）の幅方向を水平方向とし、垂直方向を上下方向とする。この幅方向（水平方向）及び垂直方向（上下方向）は、主要図に記載されている。
【００５５】
外袋１と内袋２とは、前述したように略同等形状であるが、内袋２は外袋１に内装されるので、内袋２は外袋１よりも僅かに体積が小さくてもよい。まず、外袋１に内袋２が内装される。このとき、外袋１と内袋２とは、表面構成部１１，２１と裏面構成部１２，２２とはそれぞれ対向するように配置される〔図１（Ａ），図２（Ａ），（Ｂ）等参照〕。
【００５６】
そして、外袋１と内袋２の表構成部１１，１２同士は、両開口部１ａ，２ａの付近に表面側接着テープ３が幅方向に沿って水平状に配置され、外袋１の表面構成部１１と、内袋２の表面構成部２１とが貼着される〔図１（Ｂ），図２（Ａ），（Ｂ）参照〕。表面側接着テープ３は、両面を接着面とした両面テープである。
【００５７】
また、裏面構成部１２，２２同士は、両開口部１ａ，２ａの付近で、且つその幅方向の中央（中心）の位置から幅方向の端部寄りの範囲において裏面側接着テープ４が上下方向に沿って垂直状に配置され、外袋１の裏面構成部１２と、内袋２の裏面構成部２２とが貼着される〔図１（Ｂ），図２（Ａ），（Ｂ）参照〕。
【００５８】
ここで、裏面側接着テープ４が配置される位置は、前述したように、裏面構成部１２，２２の幅方向の中央（中心）の位置Ｌと、幅方向の端部の位置との間の範囲ｍであり、この範囲ｍ内に裏面側接着テープ４が垂直状に配置される。特に、裏面側接着テープ４は、範囲ｍ内の中間位置に配置されることが好ましい。また、裏面側接着テープ４は、範囲ｍ内において、中央（中心）の位置Ｌ寄り又は中央（中心）の位置Ｌに配置されることもある。
【００５９】
また、裏面側接着テープ４は、外袋１と内袋２との上下方向における寸法の半分以下の範囲〔図８（Ｂ）参照〕としたり、前記外袋１と前記内袋２との上下方向における寸法の半分を超える範囲とすることもある〔図１（Ａ），（Ｃ）参照〕。
【００６０】
本発明の第１実施形態の使用方法について説明する。まず、本発明の包装袋体を、作業テーブルに表面側を下にして載置する〔図５（Ａ）参照〕。そして、外袋１の表面構成部１１を一方の手で押え、裏面構成部１２の開口部１ａ付近を他方の手で持ち上げる〔図５（Ａ）参照〕。このとき、内袋２の裏面構成部２２は、裏面側接着テープ４と共に上昇する〔図５（Ｂ）参照〕。
【００６１】
さらに、外袋１の裏面構成部１２を持ち上げると、内袋２の裏面構成部２２も持ち上がるが、裏面側接着テープ４は、裏面構成部１２の幅方向の中央と端部寄りの範囲内にあり、そのために内袋２の裏面構成部２２が幅方向全体に亘って上昇しなくなる。そのために、外袋１の裏面構成部１２と、内袋２の裏面構成部２２との間に隙間Ｔが生じる。
【００６２】
この隙間Ｔは、裏面側接着テープ４の位置とは反対側で、且つ外袋１の表面構成部１１と、内袋２の表面構成部２１の幅方向の中央付近から端部寄りに形成されることとなる〔図５（Ｃ），図６（Ａ）参照〕。そして、まず、内袋２に商品収納物５を入れて、隙間Ｔには書類収納物６を挿入収納する〔図６（Ｂ），（Ｃ）参照〕。
【００６３】
また、本発明が使用済みとなったときには、本発明の包装袋体の内袋２に手を入れて、内袋２の底部２３を掴み、そのまま、外袋１から引きずり出して、外袋１と内袋２とを分離し、分別ごみとして廃棄する。
【００６４】
次に、本発明の第３実施形態について説明する。この第３実施形態では、図９に示すように、外袋１と、内袋２と、表面側接着テープ３及び裏面側接着テープ４とから構成される。そして、前記外袋１に前記内袋２が内装されると共に、前記外袋１と前記内袋２の表面構成部１１，２１同士及び裏面構成部１２，２２同士は、共に開口部１ａ，２ａ付近で水平状に配置された表面側接着テープ３及び裏面側接着テープ４にて接着される。
【００６５】
この第３実施形態では、前記表面側接着テープ３及び前記裏面側接着テープ４は、共に外袋１及び内袋２の略幅方向全体に亘って配置される。或いは、前記表面側接着テープ３及び前記裏面側接着テープ４は、共に外袋１及び内袋２の幅方向寸法の略半分以上の長さとし、前記外袋１と内袋２の幅方向の両側に表面側接着テープ３及び裏面側接着テープ４の非装着領域が形成されるようにすることもある〔図(Ａ)，（Ｂ）参照〕。
【００６６】
この第３実施形態において、前記外袋１と前記内袋２の表面構成部１１，２１同士及び裏面構成部１２，２２同士におけるそれそれの開口部１ａ，２ａ付近に、表面側接着テープ３及び裏面側接着テープ４が水平状に配置されることにより、外袋１と内袋２との開口部１ａ，２ａ付近における接着力をより一層、高めることができる。
【符号の説明】
【００６７】
１…外袋、２…内袋、３…表面側接着テープ、４…裏面側接着テープ、
１１…（外袋の）表面構成部、２１…（内袋の）表面構成部、
１ａ…（外袋の）開口部、２ａ…（内袋の）開口部、Ｓ…気泡緩衝シート材、
ｐ…小膨出部、Ｓ1…ベースシート、Ｓ2…膨出シート、Ｓ3…カバーシート。
【図１】
2014118172.tif 000003
【図２】
2014118172.tif 000004
【図３】
2014118172.tif 000005
【図４】
2014118172.tif 000006
【図５】
2014118172.tif 000007
【図６】
2014118172.tif 000008
【図７】
2014118172.tif 000009
【図８】
2014118172.tif 000010
【図９】
2014118172.tif 000011